(57)【要約】【課題】本発明は、従来技術の問題を解決するための携帯型デバイスを提供する。【解決手段】携帯型デバイスを提供し、前記携帯型デバイスは、ケース、システム回路基板、スクリーン、透明アンテナ、及び送信線を含み、前記ケースは、収納空間を有し、金属又は透光性材質から構成され、前記システム回路基板は、前記収納空間内に設けられ、前記スクリーンは、前記ケースの内面に設けられ、前記透明アンテナは、前記ケースの前記スクリーンに対向する前記内面の非表示領域に設けられ、前記送信線は、前記透明アンテナに電気的に接続される。前記透明アンテナと前記送信線とは一体成形される。【選択図】図１
2019047481.tif 000002
【特許請求の範囲】
【請求項１】
携帯型デバイスであって、前記携帯型デバイスは、ケース、システム回路基板、スクリーン、透明アンテナ、及び送信線を含み、
前記ケースは、収納空間を有し、金属又は透光性材質から構成され、
前記システム回路基板は、前記収納空間内に設けられ、
前記スクリーンは、前記ケースの内面に設けられ、
前記透明アンテナは、前記ケースの前記スクリーンに対向する前記内面の非表示領域に設けられ、
前記送信線は、前記透明アンテナに電気的に接続され、
前記透明アンテナと前記送信線とは一体成形される、
ことを特徴とする携帯型デバイス。
【請求項２】
前記透明アンテナは、モノポールアンテナ又はダイポールアンテナである、ことを特徴とする請求項１に記載の携帯型デバイス。
【請求項３】
前記送信線は、同平面送信線である、ことを特徴とする請求項１に記載の携帯型デバイス。
【請求項４】
前記送信線に電気的に接続される接続器を更に含み、前記接続器は、前記透明アンテナと前記送信線との間の信号を送信する、ことを特徴とする請求項１に記載の携帯型デバイス。
【請求項５】
携帯型デバイスであって、前記携帯型デバイスは、ケース、システム回路基板、スクリーン、透明アンテナ、及び送信線を含み、
前記ケースは、収納空間を有し、金属又は透光性材質から構成され、
前記システム回路基板は、前記収納空間内に設けられ、
前記スクリーンは、前記ケースの内面に設けられ、
前記透明アンテナは、前記ケースの前記スクリーンに対向する前記内面の相反する面に設けられ、
前記送信線は、前記透明アンテナ電気的に接続され、  
前記透明アンテナと前記送信線とは一体成形される、
ことを特徴とする携帯型デバイス。
【請求項６】
前記スクリーンに対向する前記内面に相反する前記面は、非表示領域に位置する、ことを特徴とする請求項５に記載の携帯型デバイス。
【請求項７】
前記透明アンテナは、モノポールアンテナ又はダイポールアンテナである、ことを特徴とする請求項５に記載の携帯型デバイス。
【請求項８】
前記送信線は、同平面送信線である、ことを特徴とする請求項５に記載の携帯型デバイス。
【請求項９】
前記送信線に電気的に接続される接続器を更に含み、前記接続器は、前記透明アンテナと前記送信線との間の信号を送信する、ことを特徴とする請求項５に記載の携帯型デバイス。
【発明の詳細な説明】
【技術分野】
【０００１】
本発明は、アンテナ分野に関し、特に透明アンテナを有する携帯型デバイス（MOBILE DEVICE）に関する。
【背景技術】
【０００２】
現在、携帯型デバイスのアンテナは、金属ケースを用いる必要があり、金属ケースを切削することで、金属ケースのシールドの電磁信号に対する影響を阻止するが、金属ケースの切削は、金属ケースのフィッティングに影響する。
【０００３】
また、従来のアンテナを携帯型デバイスの透光性ケースに用いるためには、アンテナの位置により透光性ケースの内面の下端部に直接貼着することができない。更に、アンテナと携帯型デバイスの内部の信号送信線が異なる材質から構成されるため、アンテナと信号送信線との接続部分が目立つため、携帯型デバイスを外部からみた時に醜いという問題があった。
【０００４】
従って、上記の問題を解決する方法を提案する必要がある。
【発明の概要】
【発明が解決しようとする課題】
【０００５】
本発明は、従来技術の問題を解決するための携帯型デバイスを提供する。
【課題を解決するための手段】
【０００６】
本発明の携帯型デバイスは、ケース、システム回路基板、スクリーン、透明アンテナ、及び送信線を含み、前記ケースは、収納空間を有し、金属又は透光性材質から構成され、前記システム回路基板は、前記収納空間内に設けられ、前記スクリーンは、前記ケースの内面に設けられ、前記透明アンテナは、前記ケースの前記スクリーンに対向する前記内面の非表示領域に設けられ、前記送信線は、前記透明アンテナに電気的に接続され、
【０００７】
前記透明アンテナと前記送信線とは一体成形される。
【０００８】
本発明の携帯型デバイスは、ケース、システム回路基板、スクリーン、透明アンテナ、及び送信線を含み、前記ケースは、収納空間を有し、金属又は透光性材質から構成され、前記システム回路基板は、前記収納空間内に設けられ、前記スクリーンは、前記ケースの内面に設けられ、前記透明アンテナは、前記ケースの前記スクリーンに対向する前記内面の相反する面に設けられ、前記送信線は、前記透明アンテナ電気的に接続され、  前記透明アンテナと前記送信線とは一体成形される。
【発明の効果】
【０００９】
本発明の携帯型デバイスにおいて、前記透明アンテナと前記送信線は、同じ材質から構成されるため、前記透明アンテナと前記送信線との接続部分が透明であり、前記携帯型デバイスを外部からみた時に醜いことを回避する。
【図面の簡単な説明】
【００１０】
【図１】本発明の実施例の携帯型デバイスを示す概略図である。
【図２】本発明の実施例の透明アンテナ及び送信線を示す概略図である。
【図３】本発明の実施例の透明アンテナ及び送信線の構造図である。
【図４】透明アンテナ及び送信線が接続器に電気的に接続されていることを示す概略図である。
【図５】本発明の他の実施例の透明アンテナ及び送信線の構造図である。
【図６】本発明の実施例の透明アンテナ及び光学透明接着剤を示す概略図である。
【図７】本発明の他の実施例の携帯型デバイスの概略図である。
【発明を実施するための形態】
【００１１】
図１を参照すると、図１は、本発明の実施例の携帯型デバイスを示す概略図である。
【００１２】
該携帯型デバイスは、ケース10、透明アンテナ12、スクリーン14、及びシステム回路基板26を含む。
【００１３】
該ケース10は、収納空間28を有し、該ケース10は、金属又は透光性材質から構成される。該スクリーン14は、該ケース10の内面に設けられる。該透明アンテナ12は、該ケース10の該スクリーン14に対向する該内面に設けられる。具体的に、該透明アンテナ12が設けられている領域と該スクリーン14が設けられている領域が異なり、即ち、該透明アンテナ12は、該携帯型デバイスの非表示領域の内面に設けられる。
【００１４】
該システム回路基板26は、該収納空間28内に設けられる。該携帯型デバイス内の回路は、該システム回路基板26に整合するように設けられる。該透明アンテナ12は、該システム回路基板26と通信する機能を有し、無線信号を送信及び/又は受信することができ、無線信号は、例えば3G信号、4G信号等であるがこれに限らない。該透明アンテナ12は、高透光性構造であり、該透明アンテナ12が該ケース10の内面に形成された後でも、該ケース10及び該透明アンテナ12の組み合わせは、50％以上の透過率（transmittance）を有する。或は、他の実施例において、該透明アンテナ12の透過率は、50％以上である。該透明アンテナ12は、モノポールアンテナ（monopole antenna）又はダイポールアンテナ（dipole antenna）である。
【００１５】
図２及び図３に示すように、図２は、本発明の実施例の透明アンテナ12及び送信線16を示す概略図であり、図３は、本発明の実施例の透明アンテナ12及び送信線16の構造図である。
【００１６】
携帯型デバイスは、該送信線16を更に含み、該送信線16は、該透明アンテナ12に電気的に接続され、本発明の特徴として、該透明アンテナ12と該送信線16とが一体成形され、換言すれば、該透明アンテナ12と該送信線16とは、同じ材質からなる。該透明アンテナ12と該送信線16とが、同じ材質からなるため、該透明アンテナ12と該送信線16の接続部分24は透明であり、該携帯型デバイスを外部から見た時に醜いことを回避する。
【００１７】
本実施例において、該透明アンテナ12は、ポリエステル薄膜（polyethylene terephthalate film，PET film）である。該送信線16は、同平面送信線（co-planar transmission line）である。該送信線16は、信号線160及び接地線162を含む。
【００１８】
該透明アンテナ12は、格子状の導電膜であってよく、実質的に、極細の金属線によって形成される格子状であるため、使用者には、格子状の金属線が見えず、使用者に見える金属線は、ほぼ透明である。
【００１９】
図４を参照すると、図４は、該透明アンテナ12と該送信線16とが接続器18に電気的に接続されることを示す概略図である。
【００２０】
該携帯型デバイスは、該送信線16に電気的に接続する接続器18を更に含み、該接続器18は、該透明アンテナ12と該送信線16との間の信号を送信する。具体的には、該接続器18は、該携帯型デバイスの内部の電気的信号（図１のシステム回路基板26の電気的信号）を該透明アンテナ12に送信し、該透明アンテナ12から受信される無線信号を、該携帯型デバイスの内部の対応する回路（図１のシステム回路基板26）に送信する。
【００２１】
図５を参照すると、図５は、本発明の他の実施例の該透明アンテナ12及び該送信線16の構造図である。
【００２２】
本実施例において、該透明アンテナ12は、ポリエステル薄膜である。該送信線16は、同平面送信線である。該送信線16は、信号線160及び二本の接地線162を含む。
【００２３】
図６を参照すると、図６は、本発明の実施例の該透明アンテナ12及び光学透明接着剤（optical clear adhesive，OCA）20を示す概略図である。
【００２４】
該携帯型デバイスは、該光学透明接着剤20を更に含み、該透明アンテナ12は、該光学透明接着剤20の表面22を介して図１における該ケース10の該内面の非表示領域に貼着される。
【００２５】
図７を参照すると、図７は、本発明の他の実施例の携帯型デバイスを示す概略図である。
【００２６】
該携帯型デバイスは、ケース70、透明アンテナ72、スクリーン14（図１に示すように）、及びシステム回路基板26（図１に示すように）を含む。
【００２７】
該透明アンテナ72は、該ケース70の該スクリーン14に対向する該内面に相反する面に設けられる。具体的には、該透明アンテナ72は、該スクリーン14の下方に設けられる。該スクリーン14に対向する該内面に相反する該面は、非表示領域に位置する。
【００２８】
なお、本実施例の携帯型デバイスの該透明アンテナ72の具体的な説明は、上述の図２〜図６の説明を参照すればよく、ここでは省略する。
【００２９】
本発明の携帯型デバイスにおいて、該透明アンテナと該送信線とは、同じ材質からなるため、該透明アンテナと該送信線との接続部分は、透明であり、該携帯型デバイスを外部からみた時に醜いことを回避する。
【００３０】
本発明を上記の好ましい実施例で開示したが、これらは本発明を限定するためのものではなく、当業者の本発明に対する様様な修正と変更することができるため、本発明の範囲は、添付される特許請求の範囲のみにより限定される。
【符号の説明】
【００３１】
10、70  ケース
12、72  透明アンテナ
14   スクリーン
16   送信線
18   接続器
20   光学透明接着剤
22   表面
24   接続部分
26   システム回路基板
28   収納空間
160   信号線
162   接地線
【図１】
2019047481.tif 000003
【図２】
2019047481.tif 000004
【図３】
2019047481.tif 000005
【図４】
2019047481.tif 000006
【図５】
2019047481.tif 000007
【図６】
2019047481.tif 000008
【図７】
2019047481.tif 000009